(57)【要約】【課題】  一実施形態によると、電流モードドライバは、送信機にプリエンファシスを提供する。【解決手段】  電流モードドライバは、抵抗器とインダクタとキャパシタとを有するフィルタリング回路を有する。フィルタリング回路は、データ信号を受信し、フィルタ済みデータ信号を生成する。フィルタリング回路は、フィルタ済みデータ信号の中に不足制動過渡減衰を有する共振周波数を生成するよう調整されても良い。不足制動過渡減衰は、光学送信機により引き起こされる信号劣化を補償する。電流モードドライバは、フィルタリング回路に結合される電流源も有しても良い。電流源は、送信機を駆動できるフィルタ済みデータ信号に基づき補償信号を生成しても良い。【選択図】  図１
2016158237.tif 000002
【特許請求の範囲】
【請求項１】
送信機にプリエンファシスを提供する電流モードドライバであって、
抵抗器とインダクタとキャパシタとを有するフィルタリング回路であって、前記フィルタリング回路は、データ信号を受信し、フィルタ済みデータ信号を生成するよう動作し、前記フィルタリング回路は、前記フィルタ済みデータ信号に不足制動過渡減衰を有する共振周波数を生じるよう調整され、前記共振周波数は前記送信機により引き起こされる信号劣化を補償する、フィルタリング回路と、
前記フィルタリング回路に結合されるアナログ電流源であって、前記アナログ電流源は、前記フィルタ済みデータ信号に基づき補償信号を生成するよう動作し、前記補償信号は前記送信機を駆動するよう動作する、アナログ電流源と、
を有する電流モードドライバ。
【請求項２】
前記送信機は、ＶＣＳＥＬ（vertical-cavity  surface-emitting  laser）である、請求項１に記載の電流モードドライバ。
【請求項３】
前記アナログ電流源と前記ＶＣＳＥＬとに結合されるＤＣ電流源であって、前記ＤＣ電流源は、前記ＶＣＳＥＬをバイアスするよう動作する、ＤＣ電流源と、
前記アナログ電流源と前記ＤＣ電流源との出力に結合される終端抵抗器であって、前記終端抵抗器は、前記電流モードドライバと前記ＶＣＳＥＬとの間の電力転送を最大化するよう動作する、終端抵抗器と、
を更に有する請求項２に記載の電流モードドライバ。
【請求項４】
前記抵抗器は可変抵抗器であり、前記キャパシタは可変キャパシタであり、前記インダクタは可変インダクタである、請求項１に記載の電流モードドライバ。
【請求項５】
前記可変抵抗器、可変キャパシタ、及び可変インダクタは、前記送信機の中の温度変化に応答して動的に調整される、請求項４に記載の電流モードドライバ。
【請求項６】
前記可変抵抗器、可変キャパシタ、及び可変インダクタは、前記データ信号の周波数変化に応答して動的に調整される、請求項４に記載の電流モードドライバ。
【請求項７】
抵抗器とインダクタとキャパシタとを直列に有するフィルタリング回路においてデータ信号を受信するステップと、
前記フィルタリング回路により、前記抵抗器、インダクタ、及びキャパシタの特性に従って前記データ信号をフィルタリングするステップであって、フィルタ済みデータ信号を生成する、ステップと、
アナログ電流源を用いて補償信号を生成するステップであって、前記補償信号は、前記フィルタ済み信号に基づき、前記補償信号は、送信機を駆動するよう動作する、ステップと、
を有する方法。
【請求項８】
前記フィルタリング回路の前記インダクタ及びキャパシタは、前記フィルタ済みデータ信号の中に共振周波数を生成するよう調整され、前記共振周波数は、前記送信機の帯域幅制限を補償する、請求項７に記載の方法。
【請求項９】
前記フィルタリング回路の前記抵抗器及びインダクタは、前記送信機の帯域幅制限を補償するために、前記フィルタ済みデータ信号の中に不足制動過渡減衰を生成するよう調整される、請求項８に記載の方法。
【請求項１０】
前記送信機は、ＶＣＳＥＬ（vertical-cavity  surface-emitting  laser）である、請求項７に記載の方法。
【請求項１１】
前記アナログ電流源に結合されるＤＣ電流源により前記送信機をバイアスするステップ、を更に有する請求項７に記載の方法。
【請求項１２】
前記抵抗器は可変抵抗器であり、前記キャパシタは可変キャパシタであり、前記インダクタは可変インダクタである、請求項７に記載の方法。
【請求項１３】
抵抗器とインダクタとキャパシタとを直列に有するフィルタリング回路であって、前記フィルタリング回路は、データ信号を受信し、前記抵抗器、インダクタ、及びキャパシタの特性に従ってフィルタ済みデータ信号を生成する、フィルタリング回路と、
前記フィルタリング回路に直列に結合されるアナログ電流源であって、前記アナログ電流源は、前記フィルタ済みデータ信号に部分的に基づき補償信号を生成し、前記補償信号は送信機を駆動するよう動作する、アナログ電流源と、
を有する装置。
【請求項１４】
前記フィルタリング回路の前記インダクタ及びキャパシタは、前記フィルタ済みデータ信号の中に共振周波数を生成するよう調整され、前記共振周波数は、前記送信機の帯域幅制限を補償する、請求項１３に記載の装置。
【請求項１５】
前記フィルタリング回路の前記抵抗器及びインダクタは、前記送信機の帯域幅制限を補償するために、前記フィルタ済みデータ信号の中に不足制動過渡減衰を生成するよう調整される、請求項１４に記載の装置。
【請求項１６】
前記アナログ電流源と前記送信機とに結合されるＤＣ電流源であって、前記ＤＣ電流源は、前記送信機をバイアスするよう構成される、ＤＣ電流源と、
前記アナログ電流源とＤＣ電流源との出力に結合される終端抵抗器と、
を更に有する請求項１３に記載の装置。
【請求項１７】
前記送信機は、ＶＣＳＥＬ（vertical-cavity  surface-emitting  laser）である、請求項１３に記載の装置。
【請求項１８】
前記抵抗器は可変抵抗器であり、前記キャパシタは可変キャパシタであり、前記インダクタは可変インダクタである、請求項１３に記載の装置。
【請求項１９】
前記可変抵抗器、可変インダクタ、及び可変キャパシタは、前記送信機の中の温度変化に応答して動的に調整される、請求項１８に記載の装置。
【請求項２０】
前記可変抵抗器、可変キャパシタ、及び可変インダクタは、前記データ信号の周波数変化に応答して動的に調整される、請求項１８に記載の装置。
【発明の詳細な説明】
【技術分野】
【０００１】
本開示は、概して、電子通信に関し、より具体的には改良電流モードドライバに関する。
【背景技術】
【０００２】
電子回路では、電流モードドライバは、高送信レートで電子データ信号を通信し得る。電流モードドライバは、光ファイバ通信、及び他の高速統合システムのような様々なアプリケーションで用いられる。通常、電流モードドライバは、印刷回路基板及び／又は光ファイバに渡り、数百Ｍｂｐｓ乃至数十Ｇｂｐｓの範囲のデータを送信するために用いられる。通信装置がより高速になり、通信帯域の要求が増大するにつれ、このような装置の中で用いられるコンポーネント間の接続の速度及び品質を向上させたいという対応する要望が存在する。ＶＣＳＥＬ（vertical-cavity  surface-emitting  laser）のような光送信機は、高速光リンクにおける典型的な光源である。ＶＣＳＥＬに基づく光通信リンクは、信号の通信中にＶＣＳＥＬの駆動信号を変調するために、ＶＣＳＥＬドライバを必要とする。
【発明の概要】
【０００３】
一実施形態によると、電流モードドライバは、送信機に信号補正を提供する。電流モードドライバは、抵抗器とインダクタとキャパシタとを有するフィルタリング回路を有する。フィルタリング回路は、データ信号を受信し、フィルタ済みデータ信号を生成する。フィルタリング回路は、フィルタ済みデータ信号の中に不足制動過渡減衰を有する共振周波数を生成するよう調整されても良い。不足制動過渡減衰は、送信機により引き起こされる信号劣化を補償する。電流モードドライバは、フィルタリング回路に直列に結合される電流源も有しても良い。電流源は、送信機を駆動できるフィルタ済みデータ信号に比例する補償信号を生成しても良い。
【０００４】
別の実施形態では、装置は、抵抗器とインダクタとキャパシタとを直列に有するフィルタリング回路を有する。フィルタリング回路は、データ信号を受信し、抵抗器とインダクタとキャパシタの特性に従ってフィルタ済みデータ信号を生成しても良い。装置は、フィルタリング回路に直列に結合されるアナログ電流源も有しても良い。アナログ電流源は、送信機を駆動しフィルタ済みデータ信号に比例する補償信号を生成しても良い。
【０００５】
本開示の特定の実施形態は、１又は複数の技術的利点を提供し得る。一実施形態の技術的利点は、電流モードドライバの電力消費を削減することである。フィードフォワード等化回路のようなプリエンファシス又は等化を提供する標準的な回路は、複数の電流源に依存する場合が多い。これは、より多くの動作電力を必要とする。内蔵ＲＬＣフィルタを備える電流モードドライバを用いてプリエンファシス（送信等化）を実施することにより、高速データ送信システムにおいて信号品質を向上させるために必要な電流源の量を削減することが可能である。信号補正のために必要なコンポーネントの数を減らすことにより、電流モードドライバは製造が安価になる。１又は複数の他の技術的利点は、添付の図面、説明、及び特許請求の範囲から当業者に直ちに明らかである。
【図面の簡単な説明】
【０００６】
本開示及びその利点のより完全な理解のため、添付の図と共に以下の説明を参照する。
【図１】電流モードドライバを実装するデータ送信システムの例示的な実施形態を示すブロック図である。
【図２】電流モードドライバの例示的な実施形態を示す回路図である。
【図３Ａ】電流モードドライバがデータ信号に与える影響を示す例示的な波形である。
【図３Ｂ】電流モードドライバがデータ信号に与える影響を示す例示的な波形である。
【図３Ｃ】電流モードドライバがデータ信号に与える影響を示す例示的な波形である。
【図３Ｄ】電流モードドライバがデータ信号に与える影響を示す例示的な波形である。
【図４】電流モードドライバを用いる方法を示すフローチャートである。
【発明を実施するための形態】
【０００７】
本開示の実施形態及びそれらの利点は、図１〜４を参照することにより良好に理解される。図中の同様の番号は種々の図面の同様の及び対応する部分を示すために用いられている。
【０００８】
図１は、電流モードドライバ１２０を実装するデータ送信システム１００の例示的な実施形態を示すブロック図である。データ送信システム１００は、電流モードドライバ１２０結合されるロジック１１０と、電子装置１５０と、を有する。電流モードドライバ１２０は、フィルタリング回路１３０と、アナログ電流源１４０と、を有する。図示の実施形態では、電流モードドライバ１２０の出力は、電子装置１５０に結合される。
【０００９】
特定の実施形態では、データ送信システム１００は、高速データストリーム（つまり、１Ｇｂｐｓより大きなデータビットレート）を処理するよう構成される。例えば、電流モードドライバ１２０は、２５Ｇｂｐｓのデータレートを有するデータ信号１１２をロジック１１０から受信しても良い。次に、フィルタリング回路１３０は、データ信号１１２をフィルタリングして、フィルタ済みデータ信号１１４を生成する。フィルタ済みデータ信号１１４は、補償信号１１６を生成するためにアナログ電流源１４０により使用されても良い。補償信号１１６は、次に、電子装置１５０を駆動しても良い。例えば、電子装置１５０は、補償信号１１６により変調される光送信機であっても良い。したがって、電流モードドライバ１２０は、データ信号１１２に等化な送信を提供して、補償信号１１６がデータ送信システム１００により引き起こされる信号劣化及び減衰を克服できるようにしても良い。
【００１０】
ロジック１１０は、電子装置１５０による使用のためにデータ信号１１２を生成できる装置である。特定の実施形態では、ロジック１１０は、１又は複数の非一時的有形媒体の中に符号化されてもよく、コンピュータにより実行されると動作を実行してもよい。特定の実施形態では、ロジック１１０は、プロセッサ又はマイクロコントローラとして実装されても良い。
【００１１】
データ信号１１２は、正弦波、方形波、三角波、又は任意の他の適切な電圧又は電流信号であっても良い。データ信号１１２の周波数は、アプリケーションに依存し、電子装置１５０に基づき変化しても良い。例えば、電子装置１５０が光送信機である場合、ロジック１１０は、高周波数（例えば１〜５０Ｇｂｐｓ）での送信のためにデータ信号１１２を生成しても良い。以下に更に詳述するように、データ信号１１２は、垂直立ち上がり及び立ち下がりエッジ及び平坦な周波数応答を有する方形波型パルスのシリーズであっても良い。
【００１２】
特定の実施形態では、データ送信システム１００は、ＰＣＢ（printed  circuit  board）に実装される。ＰＣＢは、片面、両面、又はマルチレイヤであっても良い。幾つかの実施形態では、ＰＣＢは標準的なＲＦ−４ＰＣＢである。ＰＣＢに配置される導電材料のトレースは、データ送信システム１００のコンポーネントを結合しても良い。例えば、トレースは、ロジック１１０を、フィルタリング回路１３０、アナログ電流源１４０、及び電子装置１５０に結合しても良い。ＰＣＢトレースは、金属の又は他の導電材料の精細な線であっても良い。一例として、ＰＣＢトレースの導電材料は、銅であり又は銅に基づいても良く、約１００μｍ又はそれ以下の幅を有しても良い。別の例として、トレースの導電材料は、銀であり又は銀に基づいても良く、約１００μｍ又はそれ以下の幅を有しても良い。本開示は、特定の幅を有する特定の材料から成る特定のトレースを記載するが、本開示は、任意の適切な幅を有する任意の適切な材料から成る任意の適切なトラックを想定する。
【００１３】
ＰＣＢトレースのような通信チャネルは、コネクタ、バックプレーン、及び光ファイバを介して、デ―タ信号１１２の信号劣化及び減衰を生じ得る。高周波数で、ＰＣＢトレースの長さ及び幅は、データ信号１１２に容量的及び抵抗的影響を導入し得る。電子装置１５０は、データ信号１１２の送信に影響を与える帯域幅制限（例えば、寄生キャパシタンス）も導入し得る。この影響は、データ信号１１２の立ち上がり時間及び振幅に変化を生じ、結果として、ＩＳＩ（inter-symbol  interference）を生じ得る。ＩＳＩは、データ信号１１２のビットを伸ばし又は歪ませる場合がある。これらの歪みは、データ信号１１２を、後続のデータビットの送信と干渉を生じる前縁エッジ及び後縁エッジ及び滑らかでない上端を有するパルスにしてしまう場合がある。これらの歪みは、電子装置１５０に機能欠陥を生じ得る。例えば、電子装置１５０は、ＶＣＳＥＬ（vertical-cavity  surface-emitting  laser）のような光送信機であっても良い。データ信号１１２の中に生成されるＩＳＩは、ＶＣＳＥＬに誤って送信させ又は全く送信させない場合がある。電子装置１５０の性能を向上するために、電流モードドライバ１２０は、データ信号１１２に対してプリエンファシスを実行しても良い。プリエンファシスは、送信等化とも呼ばれ、通信チャネルを通じて送信される信号により被った歪みを取り消す又は先手を打って阻止する処理を表す。
【００１４】
ＰＣＢ及び電子装置１５０により生成されるＩＳＩを克服するために、電流モードドライバ１２０は、データ信号１１２の将来の劣化を補償するよう設計されても良い。電流モードドライバ１２０は、フィルタリング回路１３０と、アナログ電流源１４０と、を有する。電流モードドライバ１２０は、ロジック１１０からデータ信号１１２を受信し、フィルタリング回路１３０を用いてフィルタリングしてフィルタ済みデータ信号１１４を生成する。フィルタリング処理の間、フィルタリング回路１３０は、将来の信号減衰及び劣化を補償するためにデジタル信号１１２を変更しても良い。フィルタ済みデータ信号１１４は、次に、補償信号１１６を生成するためにアナログ電流源１４０により使用されても良い。補償信号１１６は、電子装置１５０を駆動しても良い。
【００１５】
電子装置１５０は、補償信号１２２を使用できる任意の適切な装置であっても良い。特定の実施形態では、電子装置１５０は、光ファイバ通信、バーコードリーダ、レーザポインタ、読み取り及び書き込み光学装置（CD/DVD/Blue-ray）、レーザプリンタ、指向性光源、及びスキャニングで使用可能な光送信機である。例えば、光送信機は、ＶＣＳＥＬ、レーザダイオード、又は端部放射レーザであっても良い。電子装置１５０がＶＣＳＥＬである実施形態では、電子装置１５０は、ロジック１１０により生成されるデータ信号１１２を光学的に送信するために用いられても良い。幾つかの実施形態では、ＶＣＳＥＬは、送信機の中に存在しても良く、補償信号１１６によりバイアスされ変調されても良い。この方法では、ＶＣＳＥＬは、ロジック１１０から、光ファイバケーブルのような光学媒体に渡ってデータ信号１１２を送信しても良い。他の実施形態では、電子装置１５０は、電流モードドライバ１２０により駆動されるＵＳＢケーブル又はＦＰＧＡのような非光学装置であっても良い。
【００１６】
図２は、電流モードドライバ１２０の例示的な実施形態を示す回路図である。電流モードドライバ１２０は、フィルタリング回路１３０と、アナログ電流源１４０と、を有する。フィルタリング回路１３０は、抵抗器１３２と、インダクタ１３４と、キャパシタ１３６と、を有する。図示の実施形態では、フィルタリング回路１３０は直列ＲＬＣフィルタである。特定の実施形態では、電流モードドライバ１２０は、ＤＣ電流源ＩＤＣ、終端抵抗器ＲＴｅｒｍ、１又は複数の静電気放電コンポーネント（例えば、逆バイアスダイオード）を有する。
フィルタリング回路１３０は、データ信号１１２の中に共振を生成する。共振の周波数は、次式により決定される。
【数１】
2016158237.tif 000003
【００１７】
ここで、Ｌはインダクタ１３４の値であり、単位ヘンリーである。Ｃはキャパシタ１３６の値であり、単位はファラッドである。フィルタリング回路１３０は、式：Ｒ／（２Ｌ）に従って共振の中に不足制動（underdamped）過渡減衰を生成しても良い。ここで、Ｒは、抵抗器の値であり、単位はオームである。Ｌは、インダクタの値であり、単位はヘンリーである。例えば、フィルタリング回路１３０のＬＣコンポーネントは、データ信号１１２の周波数の４倍の共振を生成するよう設計されても良い。データ信号１１２が１０Ｇｂｐｓの周波数を有する場合、インダクタ及びキャパシタは、周波数４０Ｇｂｐｓで共振を生成するよう大きさを定められても良い。ＲＬコンポーネントは、ビット期間の終わりの前に安定する共振の中の過渡減衰を生成するよう設計されても良い。データ信号１１２周波数、電子装置１５０、及びデータ送信システム１００の状態に依存して、フィルタリング回路１３０は、異なる共振周波数又は過渡減衰を提供するよう調整されても良い。
【００１８】
特定の実施形態では、ＲＬＣコンポーネントの値は、データ送信システム１００のインパルス応答に基づき決定されても良い。インパルス応答は、電子装置１５０により引き起こされる帯域幅制限、並びにＰＣＢトレース及びバックプレーンにより引き起こされる信号劣化により影響を受け得る。ＲＬＣコンポーネントを適正に調整することにより、フィルタリング回路１３０は、ＰＣＢトレース及び電子装置１５０の中に見られる帯域幅制限を補償する不足制動過渡減衰を伴う共振周波数を有するフィルタ済みデータ信号１１４を生成しても良い。したがって、フィルタリング回路１３０は、ＰＣＢ及び電子装置１５０により生成されるインパルス応答の反転を導入しても良い。
【００１９】
フィルタリング回路１３０は、可変抵抗器、可変キャパシタ、及び可変インダクタを有しても良い。例えば、フィルタリング回路１３０の中の抵抗器１３２は、デジタル信号入力に基づき抵抗値を変化できるデジタル電位差計であっても良い。同様に、フィルタリング回路１３０の中のキャパシタ１３６は、電子的可変キャパシタ又はデジタル調整キャパシタであっても良い。特定の実施形態では、インダクタ１３４は、ＭＯＳＦＥＴスイッチ及びインベンター（inventor）を用いてインダクタンスが変更される可変インダクタであっても良い。調整可能抵抗器、キャパシタ及びインダクタを有することにより、フィルタリング回路１３０は、ＲＬＣコンポーネントにより生成される共振周波数及び過渡減衰を調整でき、データ信号１１２のより正確なプリエンファシスを可能にする。抵抗器１３２及びキャパシタ１３６は、温度変動又はデータ信号１１２の周波数変化のような回路に対する変化に基づき調整されても良い。
【００２０】
アナログ電流源１４０は、フィルタ済みデータ信号１１４に従う電流を生成する任意の適切なメカニズムを有しても良い。特定の実施形態では、アナログ電流源１４０は、入力電圧に比例する相互コンダクタンス増幅器であっても良い。幾つかの実施形態では、アナログ電流源１４０は、カスコード増幅器であっても良い。アナログ電流源１４０は、供給電圧Ｖｄｄを用いる１又は複数のＢＪＴ、ＦＥＴ、ＭＯＳＦＥＴ、又は演算増幅器を有しても良い。図示の実施形態では、アナログ電流源１４０は、フィルタ済みデータ信号１１４の電圧を、電子装置１５０を駆動するために使用できる比例電流（つまり、補償信号１１６）に変換することにより、補償信号１１６を生成するアナログ電流源である。補償信号１１６のアンペア数は、電子装置１５０に依存しても良い。例えば、電子装置１５０がＶＣＳＥＬである場合、補償信号１１６は８ｍＡであっても良い。したがって、アナログ電流源１４０により生成される電流は、データ信号１１２に比例するデータ信号１１２のフィルタ済みバージョンである。
【００２１】
電流モードドライバ１２０は、電子装置１５０をバイアスできるＤＣ電流源も有しても良い。電流源は、アナログ電流源１４０と並列に結合されても良い。Ｉｄｃからの電流は、装置の電力レベルを変調させるのに十分な電流を電子装置１５０に供給できる任意の適切なバイアス電流であっても良い。
【００２２】
電流モードドライバ１２０と電子装置１５０との間の電力転送を最大化するために、及び反射を最小化するために、電流モードドライバ１２０は、終端抵抗器ＲＴｅｒｍも有しても良い。終端抵抗器は、電子装置１５０の出力インピーダンスを整合するインピーダンスを有するよう構成されても良い。例えば、電子装置１５０がＶＣＳＥＬである実施形態では、ＲＴｅｒｍは、ＶＣＳＥＬの６０Ωのインピーダンスを整合するために、６０Ωの出力インピーダンスを有しても良い。電流モードドライバ１２０は、静電放電（ＥＳＤ）に対する保護を提供するために１又は複数の要素も有しても良い。図示の実施形態では、電流モードドライバ１２０は、補償信号１１６との干渉を最小化しながらＥＳＤ保護を提供するために、ＥＳＤダイオードを有する。
【００２３】
本発明の範囲から逸脱することなく、高速データ送信システム１００に対し変更、追加又は省略が行われても良い。図１は、ロジック１１０と電流モードドライバ１２０と電子装置１５０とを含む一実施形態を示すが、システム１００はより多くの又は少ないコンポーネントを有しても良い。例えば、電子装置１５０がバイアスされる必要がない場合、ＤＣ電流源は、電流モードドライバ１２０から除去されても良い。別の例として、電流モードドライバ１２０は、単一のユニタリ装置として実装されなくても良い。このような実施形態では、電流モードドライバ１２０の種々の部分は、システム１００の異なる部分に存在しても良い。任意の適切なコンポーネントが、システム１００の機能を実行しても良い。別の実施形態では、フィルタリング回路１３０は、送信データ信号１１２の等化を提供するために、受信回路の中に配置されても良い。
【００２４】
図３Ａ〜Ｄは、電流モードドライバ１２０がデータ信号１１２に与える影響を示す例示的な波形である。波形３００Ａは、ロジック１１０により生成されるようなデータ信号１１２のビットを示す。図示の実施形態では、データ信号１１２は、垂直な前縁及び後縁エッジ並びに平坦な周波数応答を有する方形波型パルスである。データ信号１１２は、パルスとして表される多数の論理「０」及び「１」を有しても良い。−１と１ボルトの間の範囲に渡るとして表されるが、データ信号１１２は、電子装置１５０により使用可能な任意の適切な振幅及び周波数を有しても良い。
【００２５】
波形３００Ｂは、電子装置１５０により送信される直前のデータ信号１１２の例示的なビットを示す。波形３００Ｂは、電流モードドライバ１２０によりプリエンファシスを施されていないデータ信号１１２を表す。データビットは、ＰＣＢ及び電子装置１５０の通信チャネルにより引き起こされる信号減衰及び劣化を経験していない。ビットは正のデータパルスを表すと想定されるが、データビットは、代わりに、傾斜した前縁及び後縁エッジ、並びに滑らかでない周波数応答を有する。パルスの振幅も、波形３００Ａの元のビットより低い。このデータ信号１１２の劣化は、波形３００Ｂを論理「１」として認識する障害のような、電子装置１５０の中に機能障害を生じ得る。
【００２６】
波形３００Ｃは、電流モードドライバ１２０を通過した後の補償信号１１６のビットを示す。フィルタリング回路１３０及びアナログ電流源１４０を通過した後、補償信号１１６のデータビットは、不足制動過渡減衰を有する共振を示す。補償信号１１６の共振は、フィルタリング回路１３０のインダクタ１３４及びキャパシタ１３６を調整することにより決定されても良い。共振の過渡減衰は、抵抗器１３２及びインダクタ１３４を調整することにより決定されても良い。電流モードドライバ１２０によりデータ信号１１２に対して生成される変化は、ＰＣＢ及び電子装置１５０により引き起こされる信号劣化及び減衰を克服するために、プリエンファシスを提供する。
【００２７】
波形３００Ｄは、電子装置１５０により送信される直前の補償信号１１６の例示的なビットを示す。図示の実施形態では、補償信号１１６は、電流モードドライバ１２０によるプリエンファシスを施された。波形３００Ｂと異なり、波形３００Ｄのビットは、電子装置１５０により適正に使用され送信されるために十分な形式に維持されている。これは依然として劣化及び減衰の兆候を示すが、最初にプリエンファシスを施すことにより、波形３００Ｄは電子装置１５０により使用されても良い。
【００２８】
図４は、電流モードドライバ１２０を用いる方法４００を示すフローチャートである。ステップ４１０で、フィルタリング回路１３０は、ロジック１１０からデータ信号１１２を受信する。特定の実施形態では、フィルタリング回路１３０は、抵抗器１３２、インダクタ１３４、及びキャパシタ１３６を直列に（つまり、ＲＬＣフィルタ）有しても良い。
【００２９】
ステップ４２０で、フィルタリング回路１３０は、フィルタリング回路１３０の特性に従ってデータ信号１１２をフィルタリングして、フィルタ済みデータ信号１１４を生成する。本例では、データ信号１１２は、抵抗器１３２、インダクタ１３４、及びキャパシタ１３６の値に従ってフィルタリングされる。特定の実施形態では、フィルタリング回路１３０は、データ送信システム１００のインパルス応答の反転を生成するために調整される。例えば、インダクタ１３４及びキャパシタ１３６は、フィルタ済みデータ信号１１４に共振周波数を生成するために調整されても良い。この共振周波数は、ＰＣＢトレース、バックプレーン、及びコネクタにより引き起こされる劣化及び減衰、並びに光学送信機により生成される寄生キャパシタンスを補償する。抵抗器１３２及びインダクタ１３４は、共振周波数に不足制動過渡減衰を生成するよう調整されても良い。特定の実施形態では、過渡減衰は、データ信号１１２の１ビット期間に共振が小康状態になるよう、調整されても良い。
【００３０】
ステップ４３０で、アナログ電流源１４０は、フィルタ済みデータ信号１１４に基づき補償信号１１６を生成する。補償信号１１６は、光学送信機を駆動するために用いられても良い。特定の実施形態では、アナログ電流源１４０は、フィルタ済みデータ信号１１２の電圧信号を用い、フィルタ済みデータ信号１１２の電圧波形に従う電流を生成する。この方法では、フィルタリング回路１３０は、フィルタ済みデータ信号１１４を生成しても良い。フィルタ済みデータ信号１１４は、結果として、光学送信機を駆動できる補償信号１１６を生じる。
【００３１】
種々の実施形態は、上述のステップの全部、一部を実行しても良く、いずれも実行しなくても良い。例えば、フィルタリング回路１３０の抵抗器及びキャパシタは、可変抵抗器及び可変キャパシタであっても良い。可変抵抗器及び可変キャパシタを有する実施形態では、フィルタリング回路１３０は、電子装置１５０の中の温度変化又はデータ信号１１２の周波数変化のような駆動回路の中の変化に応答するために、動的に調整されても良い。電流モードドライバ１２０が上述のステップを実行するとして議論されたが、データ送信システム１００の任意の適切なコンポーネントが、方法の１又は複数のステップを実行しても良い。
【００３２】
本開示は幾つかの実施形態を含むが、種々の変更、代替、変形、交換、変換、及び修正が当業者に示唆され、また、本開示は、このような全ての変更、代替、変形、交換、変換、及び修正を添付の特許請求の範囲の精神及び範囲として包含する。
【００３３】
以上の実施例を含む実施形態に関し、更に以下の付記を開示する。
（付記１）  送信機にプリエンファシスを提供する電流モードドライバであって、
抵抗器とインダクタとキャパシタとを有するフィルタリング回路であって、前記フィルタリング回路は、データ信号を受信し、フィルタ済みデータ信号を生成し、前記フィルタリング回路は、前記フィルタ済みデータ信号に不足制動過渡減衰を有する共振周波数を生じるよう調整され、前記共振周波数は前記送信機により引き起こされる信号劣化を補償する、フィルタリング回路と、
前記フィルタリング回路に結合されるアナログ電流源であって、前記アナログ電流源は、前記フィルタ済みデータ信号に基づき補償信号を生成し、前記補償信号は前記送信機を駆動する、アナログ電流源と、
を有する電流モードドライバ。
（付記２）  前記送信機は、ＶＣＳＥＬ（vertical-cavity  surface-emitting  laser）である、付記１に記載の電流モードドライバ。
（付記３）  前記アナログ電流源と前記ＶＣＳＥＬとに結合されるＤＣ電流源であって、前記ＤＣ電流源は、前記ＶＣＳＥＬをバイアスする、ＤＣ電流源と、
前記アナログ電流源と前記ＤＣ電流源との出力に結合される終端抵抗器であって、前記終端抵抗器は、前記電流モードドライバと前記ＶＣＳＥＬとの間の電力転送を最大化する、終端抵抗器と、
を更に有する付記２に記載の電流モードドライバ。
（付記４）  前記抵抗器は可変抵抗器であり、前記キャパシタは可変キャパシタであり、前記インダクタは可変インダクタである、付記１に記載の電流モードドライバ。
（付記５）  前記可変抵抗器、可変キャパシタ、及び可変インダクタは、前記送信機の中の温度変化に応答して動的に調整される、付記４に記載の電流モードドライバ。
（付記６）  前記可変抵抗器、可変キャパシタ、及び可変インダクタは、前記データ信号の周波数変化に応答して動的に調整される、付記４に記載の電流モードドライバ。
（付記７）  抵抗器とインダクタとキャパシタとを直列に有するフィルタリング回路においてデータ信号を受信するステップと、
前記フィルタリング回路により、前記抵抗器、インダクタ、及びキャパシタの特性に従って前記データ信号をフィルタリングするステップであって、フィルタ済みデータ信号を生成する、ステップと、
アナログ電流源を用いて補償信号を生成するステップであって、前記補償信号は、前記フィルタ済み信号に基づき、前記補償信号は、送信機を駆動する、ステップと、
を有する方法。
（付記８）  前記フィルタリング回路の前記インダクタ及びキャパシタは、前記フィルタ済みデータ信号の中に共振周波数を生成するよう調整され、前記共振周波数は、前記送信機の帯域幅制限を補償する、付記７に記載の方法。
（付記９）  前記フィルタリング回路の前記抵抗器及びインダクタは、前記送信機の帯域幅制限を補償するために、前記フィルタ済みデータ信号の中に不足制動過渡減衰を生成するよう調整される、付記８に記載の方法。
（付記１０）  前記送信機は、ＶＣＳＥＬ（vertical-cavity  surface-emitting  laser）である、付記７に記載の方法。
（付記１１）  前記アナログ電流源に結合されるＤＣ電流源により前記送信機をバイアスするステップ、を更に有する付記７に記載の方法。
（付記１２）  前記抵抗器は可変抵抗器であり、前記キャパシタは可変キャパシタであり、前記インダクタは可変インダクタである、付記７に記載の方法。
（付記１３）  抵抗器とインダクタとキャパシタとを直列に有するフィルタリング回路であって、前記フィルタリング回路は、データ信号を受信し、前記抵抗器、インダクタ、及びキャパシタの特性に従ってフィルタ済みデータ信号を生成する、フィルタリング回路と、
前記フィルタリング回路に直列に結合されるアナログ電流源であって、前記アナログ電流源は、前記フィルタ済みデータ信号に部分的に基づき補償信号を生成し、前記補償信号は送信機を駆動する、アナログ電流源と、
を有する装置。
（付記１４）  前記フィルタリング回路の前記インダクタ及びキャパシタは、前記フィルタ済みデータ信号の中に共振周波数を生成するよう調整され、前記共振周波数は、前記送信機の帯域幅制限を補償する、付記１３に記載の装置。
（付記１５）  前記フィルタリング回路の前記抵抗器及びインダクタは、前記送信機の帯域幅制限を補償するために、前記フィルタ済みデータ信号の中に不足制動過渡減衰を生成するよう調整される、付記１４に記載の装置。
（付記１６）  前記アナログ電流源と前記送信機とに結合されるＤＣ電流源であって、前記ＤＣ電流源は、前記送信機をバイアスするよう構成される、ＤＣ電流源と、
前記アナログ電流源とＤＣ電流源との出力に結合される終端抵抗器と、
を更に有する付記１３に記載の装置。
（付記１７）  前記送信機は、ＶＣＳＥＬ（vertical-cavity  surface-emitting  laser）である、付記１３に記載の装置。
（付記１８）  前記抵抗器は可変抵抗器であり、前記キャパシタは可変キャパシタであり、前記インダクタは可変インダクタである、付記１３に記載の装置。
（付記１９）  前記可変抵抗器、可変インダクタ、及び可変キャパシタは、前記送信機の中の温度変化に応答して動的に調整される、付記１８に記載の装置。
（付記２０）  前記可変抵抗器、可変キャパシタ、及び可変インダクタは、前記データ信号の周波数変化に応答して動的に調整される、付記１８に記載の装置。
【符号の説明】
【００３４】
１００  データ送信システム
１１０  ロジック
１１２  データ信号
１１４  フィルタ済みデータ信号
１１６  補償信号
１３０  フィルタリング回路
１４０  アナログ電流源
１５０  電子装置
【図１】
2016158237.tif 000004
【図２】
2016158237.tif 000005
【図３Ａ】
2016158237.tif 000006
【図３Ｂ】
2016158237.tif 000007
【図３Ｃ】
2016158237.tif 000008
【図３Ｄ】
2016158237.tif 000009
【図４】
2016158237.tif 000010